(57)【要約】【課題】  どのような種類のチューブ容器であっても、その内容物の残量にかかわらず使用時に容易に内容物を取り出すことができるチューブ容器の絞り具の提供を課題とする。【解決手段】  棒状の巻取部本体１０には、チューブ容器を差し込むためのスリット１１が形成されている。挟持片１２を用いて使用者は、チューブ容器の空の部分を巻取部本体１０に巻き付けることができる。２０は、巻取部本体１０に巻き付けられたチューブ容器を収納するカバー部である。カバー部２０のスリット２１にチューブ容器が挟まれた状態で、チューブ容器の内容物が詰まっている部分は、カバー部２０の外部に露出する。【選択図】  図１
0003155991.tif 000002
【実用新案登録請求の範囲】
【請求項１】
棒状の巻取部本体と、該巻取部本体の一端側に配設された指で挟持可能な挟持片と、前記巻取部本体の外径よりも大きな内径を有し且つ前記巻取部本体をその長さ方向に沿って収納可能な円筒状のカバー部とから構成されるチューブ容器の絞り具であって、
前記巻取部本体には、前記挟持片とは反対側の端部からその長さ方向に沿って前記チューブ容器が挿入可能なスリットが形成され、
前記円筒状のカバー部には、両端の開口部のうち一方の開口部側を起点とし他方の開口部側に向う前記カバー部の側面部の長さ方向に沿ったスリットであって、前記チューブ容器が挿入可能なスリットが形成されていることを特徴とするチューブ容器の絞り具。
【請求項２】
前記円筒状のカバー部の前記他方の開口部側には、当該開口部を閉塞する閉塞部材が配設されていることを特徴とする請求項１に記載のチューブ容器の絞り具。
【考案の詳細な説明】
【技術分野】
【０００１】
本考案は、チューブ容器の内容物をそのチューブ容器から絞り出す際に用いるチューブ容器の絞り具に関するものである。
【背景技術】
【０００２】
従来から、チューブ容器は薬剤や化粧品等の物品の収納容器として広く用いられている。
【０００３】
このようなチューブ容器に収納されている内容物を使用する場合には、使用者は図５（ａ）に示したチューブ容器Ａを指で押圧して、その内容物を取出口Ｂから適量だけ押し出して使用している。
【０００４】
そして、チューブ容器Ａ内の内容物の量が少なくなった場合には、通常図５（ｂ）に示したように、チューブ容器Ａの端部からチューブ容器Ａの空になった部分を巻き上げておいて、内容物が詰まっている部分のチューブ容器Ａを押圧して、内容物を取出口Ｂから押し出して使用している。
【考案の概要】
【考案が解決しようとする課題】
【０００５】
しかしながら、金属製のチューブ容器の場合には、図５（ｂ）に示したようなチューブ容器Ａを端部から巻き上げた状態を保持しているので、使用者は内容物が詰まっている部分を押圧することにより内容物を容易に押し出すことが出来るが、所謂ラミネートチューブのチューブ容器においては、使用者は、内容物を使用する度ごとにチューブ容器を端部から巻き上げる作業をしなければならなかった。
【０００６】
すなわち、所謂ラミネートチューブのチューブ容器Ａの内容物を使用する場合には、図６（ａ）に示したようにチューブ容器Ａ内に内容物が多量に詰まっている状態においては、チューブ容器Ａを押圧すれば取出口Ｂから内容物を押し出すことが出来るが、ラミネートチューブは所謂「巻き癖」がつかないために、チューブ容器Ａ内の内容物の残量が少なくなっても、図６（ｂ）に示したように、チューブ容器Ａの空になった部分を巻き上げた状態に保持することが出来ない。
【０００７】
従って、チューブ容器Ａが所謂ラミネートチューブの場合には、内容物の残量が少なくなったときには、内容物を使用する度ごとにチューブ容器Ａの巻き上げ作業をしなければ、内容物を取出口Ｂから押し出すことができなかった。
【課題を解決するための手段】
【０００８】
以上の問題を解決するために本考案は、棒状の巻取部本体と、該巻取部本体の一端側に配設された指で挟持可能な挟持片と、前記巻取部本体の外径よりも大きな内径を有し且つ前記巻取部本体をその長さ方向に沿って収納可能な円筒状のカバー部とから構成されるチューブ容器の絞り具であって、前記巻取部本体には、前記挟持片とは反対側の端部からその長さ方向に沿って前記チューブ容器が挿入可能なスリットが形成され、前記円筒状のカバー部には、両端の開口部のうち一方の開口部側を起点とし他方の開口部側に向う前記カバー部の側面部の長さ方向に沿ったスリットであって、前記チューブ容器が挿入可能なスリットが形成されていることを特徴とするものである。ここで、前記円筒状のカバー部の前記他方の開口部側には、当該開口部を閉塞する閉塞部材が配設されていてもよい。
【考案の効果】
【０００９】
本考案によれば、どのような種類のチューブ容器であっても、その内容物の残量にかかわらず使用時に容易に内容物を取り出すことができるチューブ容器の絞り具を提供することができる。
【図面の簡単な説明】
【００１０】
【図１】本考案の実施例１の構成を示す斜視図である。
【図２】本考案の実施例１の動作説明図である。
【図３】本考案の実施例１の動作説明図である。
【図４】本考案の実施例１の動作説明図である。
【図５】従来のチューブ容器の説明図である。
【図６】従来のチューブ容器の説明図である。
【考案を実施するための形態】
【００１１】
以下、図面を用いて本考案の実施例を説明する。
【実施例１】
【００１２】
図１は、本考案の実施例１の構成を示した斜視図である。
【００１３】
図１において、１０はチューブ容器を巻き付ける棒状の巻取部本体である。この棒状の巻取部本体１０の一端側には、使用者の指で挟持することができる形態の挟持片１２が配設されている。また、この棒状の巻取部本体１０には、挟持片１２が配設されている端部とは反対側の端部を起点とする、その長さ方向に沿ったスリット１０が形成されている。スリット１０の幅は、チューブ容器が挿入可能な幅（チューブ容器を潰した状態で挿入可能な幅）に選ばれている。
【００１４】
２０は、巻取部本体１０を、その長さ方向に沿って収納可能な円筒状のカバー部である。このカバー部２０の内径は、巻取部本体１０の外径よりも大きな値に選ばれている。従ってカバー部２０に巻取部本体１０を収納した場合、巻取部本体１０の表面とカバー部２０の内壁面との間には、巻取部本体１０に巻き付けられたチューブ容器が収納可能な空間が形成される。
【００１５】
この円筒状のカバー部２０の側面部には、カバー部２０の端部に位置する開口部を起点とするスリット２１が、その側面部の長さ方向に沿って形成されている。このスリット２１の幅は、チューブ容器が挿入可能な幅（チューブ容器を潰した状態で挿入可能な幅）に選ばれている。
【００１６】
なお、本実施例１においては、円筒状のカバー部２０のスリット２１の起点となる側の開口部とは反対側の開口部は、閉塞部材２２によって閉塞されている構成となっている。
【００１７】
次に、以上のように構成された本実施例１の動作を図面を用いて説明する。
【００１８】
チューブ容器に収納されている内容物の残量が多い状態においては、使用者は、チューブ容器を指で押圧することにより内容物を容易に外部に押し出すことができる。
【００１９】
チューブ容器の内容物の残量が少なくなった場合、図２（ａ）に示したように、使用者は先ずチューブ容器Ａの端部を巻取部本体１０のスリット１１に差し込み、図２（ｂ）に示したように、挟持片１２を用いてチューブ容器Ａを巻取部本体１０に巻き付ける。
【００２０】
チューブ容器Ａの空になった部分を巻取部本体１０に巻き付けた段階で、使用者は、巻取部本体１０に巻き付けられたチューブ容器Ａを、カバー部２０に収納する。このとき、チューブ容器Ａの取出口Ｂが外部に露出するように、チューブ容器Ａをカバー部２０のスリット２１に差し込むようにして巻取部本体１０に巻き付けられたチューブ容器Ａをカバー部２０に収納する。
【００２１】
以上のようにして、巻取部本体１０に巻き付けられたチューブ容器Ａがカバー部２０に収納された図２（ｄ）に示したような状態になる。この状態のときの断面図を図３に示す。図３に示したように、チューブ容器Ａが所謂ラミネートチューブであった場合には、カバー容器２０の内部で、チューブ容器Ａが広がってカバー容器２０の内壁に圧着するために、チューブ容器Ａのこの状態は保持される。勿論、チューブ容器Ａが金属製である場合でも、チューブ容器Ａの図２（ｄ）に示した状態は保持される。
【００２２】
以上のような状態で、図２（ｅ）に示したようにカバー部２０の外側に露出しているチューブ容器Ａを指で押圧すれば、使用者は容易に内容物を押し出すことができる。
【００２３】
なお、本実施例１においては、チューブ容器Ａの内容物の残量が少なくなった場合、以下のようにしてその内容物を絞り出すようにしてもよい。
【００２４】
即ち、図４（ａ）〜（ｄ）に示したように、チューブ容器Ａの端部を巻取部本体１０のスリット１１に差し込んで（図４（ａ））、カバー部２０内に収納し（図４（ｂ））、挟持片１２を用いて巻取部本体１０に空になった部分のチューブ容器Ａを巻き付け（図４（ｃ））、さらに、挟持片１２を用いてチューブ容器Ａを巻取部本体１０に巻き付けることによって（図４（ｄ））、内容物を外部に絞り出すようにしてもよい。
【符号の説明】
【００２５】
１０  巻取部本体
１１，２１  スリット
１２  挟持片
２０  カバー部
２２  閉塞部材
Ａ  チューブ容器
Ｂ  取出口
【図１】
0003155991.tif 000003
【図２】
0003155991.tif 000004
【図３】
0003155991.tif 000005
【図４】
0003155991.tif 000006
【図５】
0003155991.tif 000007
【図６】
0003155991.tif 000008